(57)【特許請求の範囲】
【請求項１】
信号周波数を可変する信号源（４１、４２、４３）を複数配置した一つの共用エンクロージャ（４５）内に、結合器（６０）と、少なくとも２個のスイッチ（５６、５７、５８）とを備えると共に、
前記スイッチが、少なくとも２つの前記信号源からの信号を、各出力端子（４６、４７、４８）に直接送るか、あるいは、前記信号を結合して且つ前記結合器の出力端子（４９）に出力するかの、いずれかに切り替えるように動作するものであり、更に、前記エンクロージャ内にキャリブレーション手段を配置して、前記キャリブレーション手段が、前記信号源（４１、４２、４３）と前記出力端子（４６、４７、４８、４９）との間の伝送損失に応じて、前記出力端子（４６、４７、４８、４９）での信号出力レベルを制御することを特徴とする信号発生器。
【請求項２】
可変減衰器が、前記各信号源の各出力信号を可変させる請求項１に記載の信号発生器。
【請求項３】
前記各可変減衰器をそれぞれ前記信号源と前記スイッチ間に配置する請求項２に記載の信号発生器。
【請求項４】
前記各可変減衰器が階段式に信号レベルを調整する減衰器である請求項２または３に記載の信号発生器。
【請求項５】
前記各スイッチのそれぞれは、入力信号を２つの出力回路のうちの一つを選択して送るために使用する物であり、非選択された出力回路は、整合された負荷インピーダンスで終端を成す請求項１から４のいずれか一つに記載の信号発生器。
【請求項６】
制御装置への入力データに応じて、前記各出力端子における信号の周波数とレベルを決定するための制御装置を有する請求項１から５のいずれか一つに記載の信号発生器。
【請求項７】
前記キャリブレーション手段は、前記制御装置に備えるタブレーションを含んでおり、前記タブレーションが前記信号源から供給される信号のレベルを設定する際に前記制御装置によって利用される請求項６に記載の信号発生器。
【請求項８】
前記タブレーションが、前記スイッチと前記結合器における信号の損失を補償するために必要とされる補正のデータを取り込む請求項７に記載の信号発生器。
【請求項９】
前記タブレーションが、当該信号発生器の製作時に備えられる請求項７または８に記載の信号発生器。
【請求項１０】
前記タブレーションは、当該信号発生器の使用時に更新可能である請求項７、８または９のいずれかに記載の信号発生器。
【請求項１１】
前記制御装置は、少なくとも一つの信号源に要求される周波数及び要求される信号レベルの入力データを表示すること、並びに、前記一つの信号源以外の信号源に必要とされる周波数及び必要とされる信号レベルのそれぞれと前記一つの信号源で要求される周波数及び要求される信号レベルとのそれぞれ相対的に表示する請求項６に記載の信号発生器。
【請求項１２】
前記制御装置は、少なくとも２個の出力端子において、互いに所定の関係をもつ出力信号を発生させて、そして、前記制御装置への１出力信号の特性に関するデータの入力がまた、他の出力信号を設定する請求項６に記載の信号発生器。
【請求項１３】
入力指令は、キーボードを介して前記制御装置に入力される請求項１１または１２に記載の信号発生器。
【請求項１４】
入力指令は、外部のデータバスを介して前記制御装置に入力される請求項１１または１２に記載の信号発生器。
【請求項１５】
信号周波数を可変する信号源（４１、４２、４３）を複数配置した一つの共用エンクロージャ（４５）内に制御装置（６２）を備えると共に、
選択可能な所定の周波数と出力レベルとが相互に関連する少なくとも２つの出力信号を、少なくとも２つの出力端子（４６、４７、４８、４９）から送出させて、且つ、一つの出力信号の設定に対してデータ入力（５０）を行うことで、他の出力信号の設定もまた行う前記制御装置（６２）であって、
更に、前記制御装置が、前記信号源（４１、４２、４３）と前記出力端子（４６、４７、４８、４９）との間の伝送損失に応じて、前記出力端子での信号出力レベルを制御するキャリブレーション手段（６４、７０）を含むことを特徴とする信号発生器。
【請求項１６】
表示装置は、２個の出力信号の関係を示すために利用可能である請求項１５に記載の信号発生器。
【請求項１７】
前記表示装置が、前記２つの出力信号の内、他方の出力信号の変化に従って、一方の出力信号が前記他方の出力信号に従属するという特質を示す請求項１６に記載の信号発生器。
【請求項１８】
前記表示装置が少なくとも２つの信号源の出力信号の経路関係をブロック図形式で表示する請求項１６または１７に記載の信号発生器。
【請求項１９】
前記制御装置への前記データ入力に基づいて出力する出力信号の関係をスペクトルで表示する請求項１６または１７に記載の信号発生器。
【発明の詳細な説明】
【０００１】
【発明の属する技術分野】
本発明は信号発生器に関し、特に、測定と試験を行うことを意図した信号発生器に適用される。このような装置は、搬送周波数や変調深度あるいは出力レベルの様な精密に特定された性質を持つ出力信号を生成する事を要求される。特に、ＲＦ成分やシステムを試験するときに特定されたレベルの精密さを達成し維持することが重要である。
【０００２】
【従来の技術】
益々、試験装置は、典型的な操作条件をシミュレートする試験を行うために１個以上の信号発生器の使用を要求されている。現在の所、この様な要求は、数多くの独立した信号発生器を使用することで対処されており、その信号発生器中の出力信号同士は相互に適切な関係を保つ様に調節されている。この様な事は時間の浪費になるばかりではなく、また、求められる正確度を達成し、その正確さを長期間に渡り維持することは困難であろう。
【０００３】
例えば、増幅器における２個か３個の音の相互変調の測定は、ケーブルテレビ網に使用されている様な増幅器が２個以上の信号を増幅する必要がある場合に行われる。全ての増幅器はいくらかの歪みを信号に導き、２個以上の信号が使用される場合、その非線形が他の周波数に不要の信号を発生させる。これらの信号は、他の周波数の使用者の障害となるので、極めて望ましくない物であろう。例えば、仮に増幅器が６００ＭＨｚと６１０ＭＨｚで信号を通過させているとするなら、不要の信号は主に５９０ＭＨｚと６２０ＭＨｚの周波数で発生し、これらの周波数の使用者は、障害を被るであろう。
【０００４】
図９は、ＲＦ信号発生器を使用しながら増幅器がいかに試験され得るかを示す。２個（またはそれ以上）の信号発生器出力は、ＲＦ信号を同レベルで作りだす為に共に結合される。そして、その信号は増幅器を通過し、出力スペクトルは、必要な信号に対して不要の信号（スプリアス信号）を測定する為に好適な信号分析器によって監視される。
【０００５】
２個以上の信号発生器が要求される場合の他の例は、信号の周波数を変えるための装置であるＲＦ混合器の試験においても示される。仮に、例えば６００ＭＨｚの入力信号が混合器のＲＦ端子に適用され、６１０ＭＨｚの局部発振器がＬＯ端子対に適用されるなら、和（１２１０ＭＨｚ）と差（１０ＭＨｚ）周波数において信号を生成する。そして、その出力は、望ましくない信号を除去する為にフィルタされる。この場合、仮に差周波数のみが要求されるなら、信号は、低域通過フィルターを介して、それらの発振器での発振信号とその和成分が取り除かれる。
【０００６】
通信系統の周波数変換器は、しばし、１個以上の主要周波数成分を有する入力信号で作動することが要求される。例えば、混合器は６１０ＭＨｚと６１１ＭＨｚの２個の信号をそれぞれ１０ＭＨｚと１１ＭＨｚの周波数に変換できる。しかしながら、増幅器を試験する場合、この混合器が完全には線形でなく、この非線形性が、結果的にＩＦ出力に９ＭＨｚと１２ＭＨｚの相互変調信号を発生させる。
【０００７】
図１０は信号発生器が混合器を試験するためにどのように使用され、相互変調の実態を調査し得るかを示す。１個の信号発生器は、局部発振器信号を供給し、混合器を作動させるために使用される。第２、第３の信号発生器出力は適当な加算網において結合され、結合された出力信号は混合器のＲＦ端子に印加される。そして、混合器の出力は適当な信号分析器を使用して測定され、混合過程で生じた相互変調が測定される。
【０００８】
通信系統における受信器は、他のより強力な送信器が受信されるとき、弱送信信号をも受信できなければならない。この例として、１０８ＭＨｚ以上のアビオニクス・バンドにおいて作動する受信器は、至近にＦＭ放送送信器から発せられるより強力な信号がある場合も、作動可能でなければならない。これらの障害となる信号を除去し、しかも必要な信号を受信するという受信器の能力は、受信器の選択度（あるいはブロッキング比）が判断規準になる。この測定値は、受信器が特定の作動規準（例えば、騒音度またはビット誤り率等）を定めている場合、必要な信号に対する不要な信号の相対的な信号レベルとして示される。
【０００９】
選択度（選択感度）は、図１１で示されるように測定し得る。２個の信号発生器出力は適当な加算網において結合され、結合された出力は受信器へ入力される。第１の信号発生器の信号レベルは、受信器が例えばノイズに対して１８ｄＢ信号で作動するように、被変調搬送波を伴い低ＲＦレベルに設定される。そして、妨害信号は選択度の調査が必要な周波数に設定され、その妨害信号レベルは、例えば受信器性能がマイナス１２ｄＢであれば、その分上げる。受信器入力における２個の信号間のレベル差が受信器の選択度である。
【００１０】
【発明が解決しようとする課題】
この試験を受ける為に１個以上の信号発生器の使用を求める応用が他にも数多くある。しかしながら、別々の信号発生器と外部ケーブルとを使用して周波数成分のＶＳＷＲ（Voltage Standing Wave Ratio）を有する連結網を使用する場合は、使用者が斟酌しなければならない測定上の重大な間違いを引き起こし得る。その上、この試験を確実なものとするためには  いくつかの信号発生器を接続する別の試験方法の応用が要求される。別の試験方法を利用するには、また、信号発生器のパラメータ同士が、試験の施行に従って様々に相互に作用する必要がある。例えば、相互変調の場合、２個の信号が常に同じＲＦレベルと周波数差を持つ必要があるし、一方、選択度測定には、周波数分離とチャンネル内信号（前述の必要とする信号）に対する妨害波レベルの可変を要する。この事は、両信号発生器上のパラメータの調節が必要で、相互作用はこの試験方法に従うという事が必要である。
【００１１】
本発明は、これらの要求により容易に対応できる改良された信号発生器を提供しようとするものである。
【００１２】
【課題を解決するための手段】
本発明の第１の態様によると、本願発明の信号発生器は、一つの共用エンクロージャ（４５）に結合器（６０）と、複数個の調節可能な周波数信号源（４１、４２、４３）と、複数のスイッチ（５６、５７、５８）とを備えており、このスイッチの少なくとも２つが前記信号源からの信号を、各出力端子（４６、４７、４８）に直接送るか、あるいは、その信号を結合して結合器出力端子（４９）に送るために利用され、前記出力端子（４６、４７、４８、４９）で前記信号のレベルを、前記信号源（４１、４２、４３）と前記出力端子（４６、４７、４８、４９）との間の伝送損失に応じて制御するために、前記エンクロージャ内にキャリブレーション手段を有する。
【００１３】
本発明の第２の態様によると、本願発明の信号発生器は、信号周波数を可変する信号源（４１、４２、４３）を複数配置した一つのエンクロージャ（４５）内に制御装置（６２）を備えると共に、選択可能な所定の周波数と出力レベルとが相互に関連する少なくとも２つの出力信号を、少なくとも２つの出力端子（４６、４７、４８、４９）から送出させて、且つ、一つの出力信号の設定に対してキーボード（５０）からデータ入力を行うことで、他の出力信号の設定もまた行う前記制御装置（６２）であって、更に、前記制御装置が、前記信号源（４１、４２、４３）と前記出力端子（４６、４７、４８、４９）との間の伝送損失に応じて、前記出力端子での信号出力を制御するためにタブレーション（７０）とマイクロプロセッサ（６４）とを有したキャリブレーション手段を含むものである。
【００１４】
【発明の実施の形態】
本発明について、添付の図面を参照し、例を示しながら更に説明する。図１は、改良信号発生器をダイアグラム形式で示し、図２から図８は作動の形態に関する説明図である。
【００１５】
図１を参照すると、信号発生器は、一つの機械的エンクロージャすなわちハウジング（４５）内に装備された３個の信号源（４１、４２、４３）と４個の出力端子（４６、４７、４８、４９）を有する。信号発生器の作動は、キーボード（５０）か、あるいは外部データバスによって作動する遠隔制御インターフェース（５１）によって調節される。例えば、ＧＰＩＢあるいはＲＳ２３２規格に従って、作動に関する情報は表示装置（５５）によって使用者に示される。各信号源（４１、４２、４３）はそれぞれに結合される変調源（個別には示されていない）を持つ。
【００１６】
各信号源（４１から４３）は、調節可能な階段式減衰器（５２から５４）とＲＦスイッチ（５６から５８）によって、個々の出力端子（４６から４８）に結合される。階段式減衰器は可変減衰器であって、その減衰量は不連続のあらかじめ決定された値で変えられる。個々のスイッチ（５６、５７、５８）によって、各信号源はいずれも切り換え自在にＲＦ結合器（６０）に結合され、その出力は更に出力端子（４９）に結合される。このＲＦスイッチは、整合された負荷インピーダンスで未使用の信号回路の終端を成し、不要の信号の反射を最小限にとどめる。更に端子（５９）はハウジング（４５）上に供給され、このため外部信号は結合器に回送され得る。この事は、別の信号発生器（図１にある物と同じか、あるいは低雑音、デジタル変調用）であっても適用できる。
【００１７】
インターフェース（５１）、キーボード（５０）、表示装置（５５）に連結されている制御装置（６２）は、データバス（６３）を介して信号源（４１から４３）、減衰器（５２から５４）、スイッチ（５６から５８）そして結合器の設定を管理するために使用される。制御装置（６２）は、データバス（６３）の範囲に亘るトランスンミッション（信号伝送）の適当な情報を発生させる事によって、制御装置をキーボードと遠隔制御インターフェースからの入力指令に応答させるマイクロプロセッサ（６４）を有する。
【００１８】
各信号源４１から４３は、信号発生器として他に依存せずに作動し、そして、独自に変調された搬送信号を発し、通信系統などの試験を可能にする。要求される様に、変調は角度か周波数かあるいは位相変調でよい。この調節により使用者は、ＲＦ信号が個々の出力端子において使用可能で、また複合信号も結合器出力端子４９において使用可能であるという形態を明確にすることができる。
【００１９】
各信号源（４１から４３）により作り出された信号の振幅は、電子工学的に制御可能で、信号発生器に共通に存在する種の自動レベルシステムを使用する。階段式ＲＦ用の可変減衰器（５２から５４）は、出力の範囲を使用可能な範囲まで広げて使用され、各可変減衰器はそれぞれ、機械的階段式の可変減衰器、半導体式（例．ＦＥＴスイッチ）の可変減衰器またはこれらの両方の型を併用した可変減衰器、または、他の適当な型を組み合わせた可変減衰器であり得る。機械的な可変減衰器には、概して、自己の相互変調スプリアスの発生による影響が他に比べて少ないという利点がある。この可変減衰器により、各信号発生器出力は広範囲なＲＦ領域で変化でき、ゆえに、結合器への入力におけるレベルまたはＲＦ信号は互いに明らかに相違した状態でいられる。この可変減衰器は、また、結合器に適用された他の信号源からの影響を最小限に抑えるのに役立ち、その結合器は同様に信号源の出力増幅器と検出器における相互変調スプリアスの生成を最小限に抑える。原則として、スイッチ調節はスプリッタ装置により代換え可能で、信号の一部を個々の出力端子４６から４８に、一部を結合器出力４９に送る。しかしながら、この解決法は、個々の出力から使用できる最大限のＲＦレベルを減少させ（スプリッタ損失のため）、しかも、スイッチはなお信号が未使用の出力端子に漏れ込む、という欠点を持つ。
【００２０】
信号発生器の出力周波数は、様々な種類の搬送周波数をカバーできる。そして、ケーブルとスイッチと結合器から成る回路網は周波数依存による損失という特徴を露呈するであろう。もし、この事をキャリブレーションしなければ、ＲＦレベル依存という特徴を抱えるキー・パラメーターの測定において不満足な誤りを引き起こす事になろう。周波数依存レベルの誤りを正すために、制御装置６２は、経路損失のタブレーション（表作成７０）とマイクロプロセッサを含む制御装置であり、信号が個々のコネクタ（出力端子４６、４７、４８）と各信号発生器に対応する加算コネクタへ（出力端子４９）送られる。使用者が特定の形態を選定する場合、マイクロプロセッサ（６４）は、信号発生器からのＲＦレベルを調整するために関連した修正テーブルを使用し、特定されたＲＦコネクタ（出力端子４６、４７、４８、４９）での必要なレベルを提供する。
【００２１】
典型的に、この修正タブレーション（７０）は、機器が製造される時に作りだされ、キャリブレーション地点間の補間法は修正データのサイズを最小限にする一方、高修正能力を維持するために使用される。しかしながら、仮にマイクロプロセッサ６４に適当な制御能力があれば、ＧＰＩＢまたはＲＳ２３２インターフェースを用いた外部処理、または内部パワーセンサーあるいはパワーメーターは、ＲＦレベルを測定するために使用される。内部プログラムで、自動キャリブレーションの所定の手順は援用される。図１において、それぞれの出力端子（４６から４９）に隣り合って示されるパワーセンサー（７１から７４）は、感知された信号を制御装置（６２）に戻す。これらの感知された信号は、信号源（４１から４３）によって作りだされる信号のレベルを即時に調整する、または、タブレーションを更新するために使用され得る。
【００２２】
この様な機器に対する多くの試験応用は、各発生器の個々の設置が同時に行われる事を要求している。例えば、仮に２個の音の相互変調測定が行われるなら、２個の信号源も同じ力のレベルに設定される必要がある。使用者が別々にＲＦレベルを入れる代わりに、制御装置６２は、両信号レベルが１つのデータ・エントリーによって制御されるように設定され得る。信号発生器に依り様々な方法でこれを達成出来る。
【００２３】
１つの方法は、２個のパラメーターが一緒にされる機構を提供する事である。上記例において、ＲＦレベルと周波数を定義することによってそれらを一緒にする機能が提示される。典型的に、その関係は、２個の信号は無関係（別個）で対等または互いに相補するものである。その上、搬送周波数に対して、その関係は、それらが調和的に関連している（例．Ｆ1 ＝２* Ｆ2)かまたは調和的に関連し相補している（例．Ｆ1 ＝２* Ｆ2;＋Ｎ，ここでＮは相補値である）ということを特徴づける。この関係は、調波周波数逓降変換器８０を試験し、変換器からの出力周波数は常に固定されている、適当な構造は図２に示されている、ということを確定する時に利用される。図２において、出力は低域通過フィルター８１を経由して供給される。この図を参照すると、典型的に、入力周波数Ｆ1 とＦ2 として固定値で維持される出力周波数Ｆ0 は、多様である。ここで、３個の信号源が使用され、そして、２対の結合要因が定義される（例．Ｆ1 からＦ2 、Ｆ1 からＦ3)。
【００２４】
信号源同士の関係をどの様に確立するかは、図３に示される。この例の中で、信号発生器は表示装置としてＬＣＤパネルを使用し、そして、表示装置の左右両側下方にはソフトキー（キーの機能は作動モードにより変化する）を有する。ソフト・キーは、タッチパネルかソフトキーと提携された自動キーを使用しながら作動する。図３は、適切なソフト・キーを選択して前記関係を成立させる事により信号発生器に属する信号発生器Ｂ，Ｃの特徴を設定する為に求められる一定の公式が、どの様に入力されるかを示す。
【００２５】
一旦、関係が成立し、そして、信号源の周波数が変化すると、例えば、信号源Ｂ，Ｃの周波数も変化する。使用者がこの相互作用に気づいているかどうかを明確にすることが望ましい。この様な理由から、本発明の好ましい解決方法は、関係が確立されたという事を表示するアイコンを有する表示装置を使用する事である。図４は、関係を表示するためにアイコンをいかに使用するかという事についての解決法を示す。この例において、表示装置は、信号源ＢとＣ、そして、ＲＦ周波数とレベル間に打ち立てられた関係を持つ信号源の設定を示している。関係は与えられたパラメーター上に確立されたということを示すために、記号→ＢＣが読み終わり記号（ＭＨｚとｄＢｍ）の下に加えられ、関係が容認されるという事を示す。類似の方法で、使用者は、全ての源であるレベル周波数の設定の概要を求めるかもしれないし、また、図５に示されるように関係を示すアイコンと共にこれらのパラメーターを表示するユーザー・インターフェースが設けられてもよい。
【００２６】
信号発生器を管理する２つ目の方法は、実行を要求される特定の試験を援助するマン・マシン・インターフェースを提供する事である。この場合、マン・マシン・インターフェースの表現の仕方は、試験応用を反映して変更される。典型的な試験応用の例は図６に示されるが、特別な用途は表示装置の左側の適切なソフト・キーによって選択される。例えば、仮に、２個の音色の相互変調の試験が行われるなら、機器は、自動的に２個の信号源が結合器６０に送られるという、回送系統を選択する。その上、情報を記録するモードは変更され、この例においては、単独のＲＦレベル（両ＲＦレベルを制御する）であり、周波数中の１周波数と２個の信号間の分離周波数は制御装置６２に記録される。
【００２７】
本発明の好ましい実施例においては、ユーザー・インターフェースは、回送系統とグラフ形式で応用を管理するのに使用されるパラメーターについての情報を提供する。仮に受信器上の２個の音色の相互変調のような応用が選択されるならば、その応用は、図７に示されるように、ブロック図形式で表示され、信号発生器の回送を示す。同様の装置はまた、応用モードが使用されていない時に、どの様に信号源が回送されるかを示すためにも利用される。入力パラメーターは、図８に示される様に典型的にグラフ形式で表示されスペクトル関係が示される。受信器に関する２個の音色相互変調試験の場合、入力されるべきパラメーターは、受信器周波数と妨害電波相殺周波数、そして、相対的ＲＦレベルである。
【００２８】
選択度測定の例においては、機器は、再度自動的に２個の信号を結合器に送るが制御装置に入力されるパラメーターは、ＲＦレベルと内部チャンネル（必要）信号、そして、周波数分離（内部チャンネル信号からの）と、相対的レベル（内部チャンネル信号に対して）である。
【００２９】
混合器の相互変調の測定の場合、制御装置は自動的に２個の出力を結合器の出力端子に、そして、１個の出力を別の出力端子に送る。
【００３０】
【発明の効果】
この応用先導のマン・マシン・インターフェースの利点は、測定が（技術専門用語で）で記述され、定義されるという形で表され、機器は自動的に信号発生器の回送とパラメーターの相互作用を設定するという事である。この事は、もし成されなければ、紛らわしい結果を引き起しかねない誤作動の機会を最小限に抑える。マイクロプロセッサ６４は、例えば、要求される種類の試験に依存する信号発生器の特徴を設定するための手順を修正するためにキーボード５０によって入力される、マン・マシン命令に呼応するように調整される。適切な命令は、表示装置５５を経て設定手順経過として使用者に戻される。
【図面の簡単な説明】
【図１】一つの機械エンクロージャ内に装備された３個の信号源（４１、４２、４３）と４個の出力端子（４６、４７、４８、４９）を持つハウジングすなわちエンクロージャ（４５）を有する事を示す図である。
【図２】出力は低域通過フィルター（８１）を経由し供給される事を示す図である。
【図３】信号源同士の関係を如何に確立するかを示す図である。
【図４】図３における信号同士の関係を表示するために如何にアイコンを使用するかという事に対する解決法を示す図である。
【図５】レベル周波数の設定を示す図である。
【図６】典型的な試験応用の例を示す図である。
【図７】仮に受信器上の２個の音色の相互変調のような応用が選択された場合の、応用を示す図である。
【図８】入力パラメーターを示す図である。
【図９】ＲＦ信号発生器を使用しながら増幅器がいかに試験されるかを示す図である。
【図１０】信号発生器が、混合器を試験するためにどのように使用され、相互変調の実態を調査し得るかを示す図である。
【図１１】図１０における選択度が、測定可能である事を示す図である。
【符号の説明】
４１、４２、４３ 信号源
４５ ハウジングすなわちエンクロージャー
４６、４７、４８、４９ 出力端子
５０ キーボード
５１ 遠隔制御インターフェース
５２、５３、５４ 階段式ＲＦの可変減衰器
５５ 表示装置
５６、５７、５８ ＲＦのスイッチ
５９ 端子
６０ ＲＦの結合器
６２ 制御装置
６３ データ・バス
６４ マイクロプロセッサ
７０ タブレーション
７１、７２、７３、７４ パワーセンサー
８０ 調波周波数逓降変換器
８１ 低域通過フィルター
【図１】
0003918138.tif 000002
【図２】
0003918138.tif 000003
【図３】
0003918138.tif 000004
【図４】
0003918138.tif 000005
【図５】
0003918138.tif 000006
【図６】
0003918138.tif 000007
【図７】
0003918138.tif 000008
【図８】
0003918138.tif 000009
【図９】
0003918138.tif 000010
【図１０】
0003918138.tif 000011
【図１１】
0003918138.tif 000012